(57)【要約】      （修正有）【課題】シュー組立体を支持する一対の開閉アーム及び前記開閉アームに取り付けられたアーム開閉装置を一体的に組付けたフイルムラップ装置において、フイルムラップ加工中にクーラントが飛散し、開閉アームと側板との間にクーラントが侵入し、支点軸が破損することがないフイルムラップ装置のクーラント侵入防止装置を提供。【解決手段】モジュール本体21に固定された一対の側板 24,24と一対の側板 24,24の中央に固定された軸受け 3に回転可能に支持された一対の開閉アーム 6、6 と、各開閉アーム 6、6 にそれぞれ支持された一対の比較的剛性の凹面を有するシュー組立体 5、5 及び各アーム開閉用クランプシリンダ 7を有し、モジュール本体21のアーム開閉用クランプシリンダ 7側上下に１対のエアー流入口30及びエアー流入口30から連通穴31を通り一対の側板 24,24の間にエアーブロー33を噴出するエアー噴出口32を設けた。【選択図】図１
2008207298.tif 000002
【特許請求の範囲】
【請求項１】
機械本体にそれぞれ差し替え可能に組付けられたアームモジュールであって、各アームモジュールは、モジュール本体と、モジュール本体に固定された上下の中板にそれを挟むように固定された一対の側板と、一対の側板の中央に回転可能に支持された一対の開閉アームと、各開閉アームにそれぞれ支持された比較的非圧縮性の研磨材被覆フイルムの研磨材被覆面を被加工物の軸表面に接触させ押圧する一対の比較的剛性の凹面を有するシュー組立体及び前記開閉アームに取り付けられたアーム開閉装置を一体的に交換可能なアームモジュールとして組付け、前記モジュール本体のアーム開閉装置側上下に１対のエアー流入口及び前記エアー流入口から連通穴を通り前記一対の側板の間にエアーブローを噴出するエアー噴出口を設けたことを特徴とするフイルムラップ装置のクーラント侵入防止装置。
【請求項２】
前記アームモジュールは、クランクシャフトを含む被加工物の複数の軸表面を加工するするように、前記機械本体に複数個搭載され、複数の軸物被加工物表面を一度に加工できるようにしたことを特徴とする請求項１記載のフイルムラップ装置のクーラント侵入防止装置。
【発明の詳細な説明】
【技術分野】
【０００１】
本発明は、比較的非圧縮性の研磨材被覆フイルムの研磨材被覆面を回転される加工面を有する鋼管、自動車部品等の被加工物表面に、接触させ押圧する比較的剛性の凹面を有するシュー組立体を支持する一対の開閉アーム及び前記開閉アームに取り付けられたアーム開閉装置を一体的に交換可能なアームモジュールとして組付けたフイルムラップ装置のクーラント侵入防止装置に関する。
【背景技術】
【０００２】
従来の比較的非圧縮性の研磨材被覆フイルムの研磨材被覆面を回転される加工面を有する鋼管、自動車部品等の被加工物表面に、接触させ押圧する比較的剛性の凹面を有するシュー組立体を支持する一対の開閉アーム及び前記開閉アームに取り付けられたアーム開閉装置を一体的に交換可能なアームモジュールとして組付けたフイルムラップ装置のクーラント侵入防止装置としては、例えば特許文献１に開示するものがあり、特許文献１では、本体に回転可能に支持された比較的剛性の凹面を有するシュー組立体を支持する一対の開閉アーム及び前記開閉アームに取り付けられたアーム開閉装置を一体的に交換可能なアームモジュールとして組付けた一体型カッセト本体からなるフイルムラップ装置に、側面カバー、正面を部分的におおうアーム基部カバー及び上部をおおう上部カバーを設け、クーラント侵入防止装置としていた。
【特許文献１】特開２００７−７７７８号公報図１
【発明の開示】
【発明が解決しようとする課題】
【０００３】
しかしながら、かかる従来の比較的剛性の凹面を有するシュー組立体を支持する一対の開閉アーム及び前記開閉アームに取り付けられたアーム開閉装置を一体的に交換可能なアームモジュールとして組付けたフイルムラップ装置のクーラント侵入防止装置では、フイルムラップ加工中にクーラントが飛散し、開閉アームと側板との間にクーラントが侵入し、支点軸が破損するといった現象が発生した。
【０００４】
本発明の課題は、比較的剛性の凹面を有するシュー組立体を支持する一対の開閉アーム及び前記開閉アームに取り付けられたアーム開閉装置を一体的に交換可能なアームモジュールとして組付けたフイルムラップ装置において、フイルムラップ加工中にクーラントが飛散し、開閉アームと側板との間にクーラントが侵入し、支点軸が破損することがないフイルムラップ装置のクーラント侵入防止装置を提供することにある。
【課題を解決するための手段】
【０００５】
このため本発明は、機械本体にそれぞれ差し替え可能に組付けられたアームモジュールであって、各アームモジュールは、モジュール本体と、モジュール本体に固定された上下の中板にそれを挟むように固定された一対の側板と、一対の側板の中央に回転可能に支持された一対の開閉アームと、各開閉アームにそれぞれ支持された比較的非圧縮性の研磨材被覆フイルムの研磨材被覆面を被加工物の軸表面に接触させ押圧する一対の比較的剛性の凹面を有するシュー組立体及び前記開閉アームに取り付けられたアーム開閉装置を一体的に交換可能なアームモジュールとして組付け、前記モジュール本体のアーム開閉装置側上下に１対のエアー流入口及び前記エアー流入口から連通穴を通り前記一対の側板の間にエアーブローを噴出するエアー噴出口を設けたことを特徴とするフイルムラップ装置のクーラント侵入防止装置を提供することによって上記した従来製品の課題を解決した。
【発明の効果】
【０００６】
かかる構成により、各開閉アームにそれぞれ支持された比較的非圧縮性の研磨材被覆フイルムの研磨材被覆面を被加工物の軸表面に接触させ押圧する一対の比較的剛性の凹面を有するシュー組立体及び前記開閉アームに取り付けられたアーム開閉装置を一体的に交換可能なアームモジュールとして組付け、前記モジュール本体のアーム開閉装置側上下に１対のエアー流入口及び前記エアー流入口から連通穴を通り前記一対の側板の間にエアーブローを噴出するエアー噴出口を設けたので、フイルムラップ加工中、クーラントが飛散しても、エアー噴出口から噴出するエアーブローにより、開閉アームと側板との間にクーラントが侵入することはなく、支点軸が破損することがないフイルムラップ装置のクーラント侵入防止装置を提供するものとなった。
【０００７】
好ましくは、前記アームモジュールは、クランクシャフトを含む被加工物の複数の軸表面を加工するするように、前記機械本体に複数個搭載され、複数の軸物被加工物表面を一度に加工できるようにした。
【発明を実施するための最良の形態】
【０００８】
本発明の実施形態を図面を参照して説明する。図１（ａ）は本発明の実施形態のフイルムラップ装置のクーラント侵入防止装置の概略立面側面図、（ｂ）は（ａ）Ｂ矢視方向からみたアーム開閉用クランプシリンダを省略した右側面図、図２は図１（ａ）のアームモジュール20の開閉アーム 6、6 に支持されたシュー組立体 5、5 に把持された被加工物 2のジャーナル中心2a及び公転するピン中心4aの軌跡と、回転される被加工物の軸に応動して移動させられる軸受け中心3aの軌跡の移動軌跡を示し、図３はクランクシャフトを含む被加工物の複数の軸表面を一度に加工できるよう、複数個からなる図１（ａ）のアームモジュールを搭載したテープラップ装置の要部上面図を示す。
【０００９】
図１に示す本発明の実施形態のフイルムラップ装置のクーラント侵入防止装置では、アームモジュール20は、機械本体10（図３）にそれぞれ差し替え可能に組付けられたアームモジュール20であって、各アームモジュール20は、モジュール本体21と、モジュール本体21の上下に固定された一対の直動スライド 11、12と、一対の直動スライド 11、12の可動部 11a、12aに固定された上下の中板 22,23にそれを挟むように固定された一対の側板 24,24と（モジュール本体21に直接一対の側板 24,24が固定されてもよい）、一対の側板 24,24の中央に固定された軸受け 3に回転可能に支持されかつ一対の直動スライドの可動部 11a、12aを介して被加工物 2に向けてＺ軸方向に移動可能に支持さられた一対の開閉アーム 6、6 と、各開閉アーム 6、6 にそれぞれ支持された比較的非圧縮性の研磨材被覆フイルム 1の研磨材被覆面を被加工物 2の軸表面に接触させ押圧する一対の比較的剛性の凹面を有するシュー組立体 5、5 及び各開閉アーム 6、6 の反シュー組立体側端部に固定されたアーム開閉装置であるアーム開閉用クランプシリンダ 7（ボールネジであってもよい）を有し、アームモジュール20は機械本体10に対し一体的に交換可能なモジュールとして組付けられ、モジュール本体21のアーム開閉用クランプシリンダ 7側上下に１対のエアー流入口30及びエアー流入口30から連通穴31を通り一対の側板 24,24の間にエアーブロー33を噴出するエアー噴出口32を設けたものである。図２に示す、図１（ａ）のアームモジュール20の開閉アーム 6、6 に支持されたシュー組立体 5、5 に把持された被加工物 2のジャーナル中心2a及び公転するピン中心4aの軌跡と、回転される被加工物の軸に応動して移動させられる軸受け中心3aの軌跡を示す説明図に示すように、被加工物 2が自転及び公転されられれると、軸中心3aは図１の位置3aから一対の直動スライド 11、12に案内されて、Ｚ軸方向に3cの位置に、ピン中心4aは4cの位置に移動するようにされている。
【００１０】
かかる構成により、本発明の実施形態のフイルムラップ装置のクーラント侵入防止装置では、各開閉アームにそれぞれ支持された比較的非圧縮性の研磨材被覆フイルムの研磨材被覆面を被加工物の軸表面に接触させ押圧する一対の比較的剛性の凹面を有するシュー組立体及び前記開閉アームに取り付けられたアーム開閉装置であるアーム開閉用クランプシリンダ 7を一体的に交換可能なアームモジュールとして組付け、前記モジュール本体のアーム開閉装置側上下に１対のエアー流入口及び前記エアー流入口から連通穴を通り前記一対の側板の間にエアーブローを噴出するエアー噴出口を設けたので、フイルムラップ加工中、クーラントが飛散しても、エアー噴出口から噴出するエアーブローにより、開閉アームと側板との間にクーラントが侵入することはなく、支点軸が破損することがないフイルムラップ装置のクーラント侵入防止装置を提供するものとなった。
【００１１】
本発明の実施形態のフイルムラップ装置のクーラント侵入防止装置では、図１に示すアームモジュール20は、カセット本体21にそれぞれ固定した一対の直動スライド 11、12、カセット本体21及びアーム開閉用クランプシリンダ 7が幅狭に薄くされているので、図３の要部上面図に示すように、クランクシャフトを含む被加工物の複数の軸表面に整合させて、これら被加工物の複数の軸表面を一度に加工できる、複数個からなる図１のアームモジュール20を搭載したマルチフイルムラップ装置30とすることができる。
【図面の簡単な説明】
【００１２】
【図１】（ａ）は本発明の実施形態のフイルムラップ装置のクーラント侵入防止装置のアームモジュール20の概略立面側面図、（ｂ）は（ａ）Ｂ矢視方向からみたアーム開閉用クランプシリンダを省略した右側面図を示す。
【図２】図１（ａ）のアームモジュール20の開閉アーム 6、6 に支持されたシュー組立体 5、5 に把持された被加工物 2のジャーナル中心2a及び公転するピン中心4aの軌跡と、回転される被加工物の軸に応動して移動させられる軸受け中心3aの軌跡の移動軌跡を示す。
【図３】クランクシャフトを含む被加工物の複数の軸表面を一度に加工できるよう図１（ａ）のアームモジュールを複数個搭載したフイルムラップ装置の要部上面図を示す。
【符号の説明】
【００１３】
1 ：研磨材被覆フイルム、2 ：被加工物、3 ：軸受け、3a：軸受け中心、5 ：シュー組立体6 ：開閉アーム、7 ：アーム開閉用クランプシリンダ、10：機械本体
11、12 ：直動スライド、11a 、12a：直動スライド 11、12の可動部
20：アームモジュール、22、23 ：中板、 24,24：側板、30：エアー流入口、31：連通穴
32：エアー噴出口、33：エアーブロー
【図１】
2008207298.tif 000003
【図２】
2008207298.tif 000004
【図３】
2008207298.tif 000005